(57)【要約】【課題】本発明は、食器類を収納する空間が狭くならない食器洗い機を提供することを目的とする。【解決手段】洗浄水を洗浄槽内に向けて噴射する回転噴射体と、吸い込み／加圧した洗浄水を回転噴射体に供給する洗浄ポンプとを備える食器洗い機にあって、洗浄槽の内壁面から外側向きに凹む噴射体設置部を設け、回転噴射体は、ほぼ円板形状に形成され、かつ板厚み方向に貫かれた回転推進噴射孔を有し、回転噴射体を噴射体設置部に設置することを特徴とする。【選択図】  図３
2006020894.tif 000002
【特許請求の範囲】
【請求項１】
洗浄槽と、この洗浄槽内に備えられる食器収納かごと、洗浄水を前記洗浄槽内に向けて噴射する回転噴射体と、吸い込み／加圧した洗浄水を前記回転噴射体に供給する洗浄ポンプとを備える食器洗い機において、
前記洗浄槽の内壁面から外側向きに凹む噴射体設置部を設け、
前記回転噴射体は、ほぼ円板形状に形成され、かつ板厚み方向に貫かれた回転推進噴射孔を有し、
前記回転噴射体を前記噴射体設置部に設置することを特徴とする食器洗い機。
【請求項２】
請求項１記載の食器洗い機において、
前記回転推進噴射孔は、噴出側に前記回転噴射体の回転軸線に対して螺旋を描くように形成される螺旋噴射部を有することを特徴とする食器洗い機。
【請求項３】
請求項２記載の食器洗い機において、
前記回転推進噴射孔は、流入側に円錐形状の流入部を有することを特徴とする食器洗い機。
【請求項４】
請求項３記載の食器洗い機において、
前記流入部の内側面には、回転付勢羽根を設けたことを特徴とする食器洗い機。
【請求項５】
請求項３記載の食器洗い機において、
前記回転噴射体は、前記回転中心軸線上に設けた直線噴射流通孔を有することを特徴とする食器洗い機。
【請求項６】
請求項1〜５の何れか一つに記載された食器洗い機において、
前記回転噴射体はボールベアリングを介して回転自在に支持されていることを特徴とする食器洗い機。
【請求項７】
請求項１〜６の何れか一つに記載された食器洗い機において、
前記噴射体設置部に洗浄水を供給する洗浄水供給経路を前記洗浄槽の裏面側に設けたことを特徴とする食器洗い機。
【請求項８】
請求項６記載の食器洗い機において、
ボールベアリングを介して内側に前記回転噴射体を回転自在に支持する中間リング体が前記噴射体設置部に取り付けられていることを特徴とする食器洗い機。
【請求項９】
請求項８記載の食器洗い機において、
前記噴射体設置部の底部には、洗浄水供給経路内に流れる洗浄水を前記回転噴射体の流入部に導く導入孔が設けられていることを特徴とする食器洗い機。
【請求項１０】
洗浄槽と、この洗浄槽内に備えられる食器収納かごと、この食器収納かごの底側と前記洗浄槽の内底側との間に設けた噴射アーム付きの回転噴射部材と、吸い込み／加圧した洗浄水を前記回転噴射部材に供給する洗浄ポンプとを備える食器洗い機にあって、
前記回転噴射部材は、噴射アームの上面より凹むように形成される噴射体設置部を設け、
回転噴射体は、ほぼ円板形状に形成され、かつ板厚み方向に貫かれた回転推進噴射孔を有し、
前記回転噴射体が前記噴射体設置部に設置されることを特徴とする食器洗い機。
【請求項１１】
洗浄槽と、この洗浄槽内に備えられる食器収納かごと、前記洗浄槽の内底側に設けた回転噴射体と、吸い込み／加圧した洗浄水を前記回転噴射体に供給する洗浄ポンプとを備える食器洗い機にあって、
前記洗浄槽の内底面より凹む噴射体設置部を設け、
前記回転噴射体は、ほぼ円板形状に形成され、かつ板厚み方向に貫かれた回転推進噴射孔を有し、
前記回転噴射体を前記噴射体設置部に設置することを特徴とする食器洗い機。
【発明の詳細な説明】
【技術分野】
【０００１】
本発明は、食器類に洗浄水を噴射して洗浄する食器洗い機に関する。
【背景技術】
【０００２】
食器類に洗浄水を噴射して洗浄する食器洗い機は、特開２００２−３０６３９３号公報（特許文献１）で示されている。この食器洗い機は、回転洗浄ノズルが洗浄槽の天井側と底側に備わる。
【０００３】
【特許文献１】特開２００２−３０６３９３号公報
【発明の開示】
【発明が解決しようとする課題】
【０００４】
上記特許文献１に示される食器洗い機は、回転洗浄ノズルが洗浄槽の天井側に吊り下がるように備わる。洗浄槽の内部空間の一部は、回転洗浄ノズルに占められて食器類を収納する空間が狭くなる。
【０００５】
上記の問題に対処し、本発明は、食器類を収納する空間が狭くならない食器洗い機を提供することを目的とする。
【課題を解決するための手段】
【０００６】
本発明は、洗浄水を洗浄槽内に向けて噴射する回転噴射体と、吸い込み／加圧した洗浄水を回転噴射体に供給する洗浄ポンプとを備える食器洗い機にあって、洗浄槽の内壁面から外側向きに凹む噴射体設置部を設け、回転噴射体は、ほぼ円板形状に形成され、かつ板厚み方向に貫かれた回転推進噴射孔を有し、回転噴射体を噴射体設置部に設置することを特徴とする。
【発明の効果】
【０００７】
本発明によれば、回転噴射体が噴射体設置部に設置されるので、食器類を収納するための洗浄槽の内部空間が狭められない。
【発明を実施するための最良の形態】
【０００８】
本発明の実施形態に係る実施例について、図面に基づいて説明する。
【０００９】
まず、図1、図２を引用して本発明の実施例に係る食器洗い機の概要から述べる。
【００１０】
この食器洗い機は、外枠体１と、外枠体１の内側に備わる洗浄槽２と、洗浄槽２の前面側の開口を開閉自在なる蓋体３を有する。食器類が載せられる上側の食器かご４ａと、下側の食器かご４ｂは、洗浄槽２に出し入れ自在に備わる。
【００１１】
洗浄槽２の底側には、噴射アーム付き回転洗浄ノズル５が備わる。この噴射アーム付き回転洗浄ノズル５の上側に下側の食器かご４ｂが置かれる。
【００１２】
洗浄槽２の天井側や側面には、回転噴射体が備わる。この回転噴射体に関して図３、図４を引用して述べる。
【００１３】
図３は、洗浄槽２の側面に備わる回転噴射体を示している。図４は、回転噴射体の正面を示している。
【００１４】
回転噴射体１０は、洗浄槽２に設けた噴射体設置部１１に備わる。回転噴射体１０は、円板形状を有し、外周がボールベアリング１２を介して中間リング体１３に回転自在に支持されている。ボールベアリング１２に支持されているので、回転噴射体１０は小さな回転力でも円滑に回転する。
【００１５】
噴射体設置部１１は洗浄槽２の内壁面から外側向きに凹むように形成され、二段の凹みを有する。一段目の凹部１４は大径で、深さが浅い。二段目の凹部１５は小径で、深さが凹部１４よりも深い。一段目の凹部１４は内壁面に係合溝１６を有する。
【００１６】
前記中間リング体１３は二段の筒形状をしている。一段目の筒部１７は大きな外径を有し、前記凹部１４に嵌合する寸法関係になっている。二段目の筒部１８は一段目の筒部１７よりも小さな外径を有し、前記凹部１５の嵌合する寸法関係になっている。中間リング体１３は、筒部１７の外壁面に係合突起１９を有する。
【００１７】
中間リング体１３は、噴射体設置部１１に取り付けられる。中間リング体１３の筒部１７が噴射体設置部１１の凹部１４に、中間リング体１３の筒部１８が噴射体設置部１１の凹部１５に嵌合して中間リング体１３は取り付けられる。係合突起１９が係合溝１６に係合するので、中間リング体１３は噴射体設置部１１から簡単に外れることなく、しっかりと取り付けられる。
【００１８】
また、回転噴射体１０と中間リング体１３とを予め組み立てておくことで、食器洗い機の組み立てを早くすることができる。
【００１９】
回転噴射体１０は、円板の厚み方向に貫かれる回転推進噴射孔を有する。回転推進噴射孔の噴出側には螺旋噴射部３０が、回転推進噴射孔の流入側には流入部３１が設けられる。螺旋噴射部３０は、回転噴射体１０の回転軸線に対して螺旋を描きながら表面側に抜けるように形成されている。流入部３１は回転噴射体１０の裏面側に設けられ、かつほぼ円錐形状を有している。流入部３１は、円錐形状の先端側が螺旋噴射部３０に連通するようになっている。この流入部３１と螺旋噴射部３０を通じて、回転噴射体１０は裏面側から表面側まで貫かれている。
【００２０】
回転噴射体１０は、表面側の外周に鍔部３２を有する。この鍔部３２は、中間リング体１３の筒部１７の内側に遊び代をもって回動自在なる嵌合状態に置かれる。この鍔部３２はボールベアリング１２側に対してはラビリンスを機能を有するので、ボールベアリング１２に洗浄水中の異物の流れ込みが抑えられる。
【００２１】
洗浄槽２の内壁面がステンレス鋼板３３で覆われる構成では、ステンレス鋼板３３の表面側が洗浄槽の内壁面になる。ステンレス鋼板３３は、板厚が０．２ｍｍ〜０．３ｍｍ程度を薄いものが使われる。回転噴射体１０の表面側は、洗浄槽の内壁面よりも外側寄りに落ち込んだ状態に置かれる。
【００２２】
噴射体設置部１１の裏面側には、洗浄水供給経路３４が設けられる。洗浄水供給経路３４は、洗浄槽２の外側（裏面側）に洗浄水ダクト３５を貼り合わせるように形成する。噴射体設置部１１の底部には、導入孔３６が設けられる。この導入孔３６を通じて洗浄水供給経路内に流れる洗浄水が回転噴射体１０の流入穴３１に導かれる。導入孔３６が形成される導入孔筒部３７は、回転噴射体１０の流入穴３１に入り込んだ重なり合いのラビリンス構成になっている。このラビリンス構成により、洗浄水中の異物が、ボールベアリング１２に流入するのが抑えられる。
【００２３】
洗浄ポンプ（図示せず）は、洗浄槽２の下方に設けられる。洗浄ポンプに吸い込まれて加圧された洗浄水は、回転洗浄ノズル５に供給されて噴射される。また洗浄水は、洗浄水供給経路３４を経由して回転噴射体１０から噴射される。
【００２４】
この回転噴射体１０の噴射について詳しく説明する。
【００２５】
洗浄ポンプの運転で、送られた加圧の洗浄水は、回転洗浄ノズル５から勢い良く噴射される。回転洗浄ノズル５は、洗浄水の噴射反動で回転するので、噴射洗浄水は振りまかれる。
【００２６】
洗浄ポンプからの洗浄水は、洗浄水供給経路３４にも送られる。洗浄水供給経路３４内を流れる洗浄水は、導入孔３６から回転噴射体１０の流入穴３１に流入する。この流入穴３１に流入した洗浄水は、狭い回転推進噴射孔３０から勢い良く噴射される。
【００２７】
回転推進噴射孔３０は、回転噴射体１０の回転軸線に対して螺旋を描くような形状をしている。このため、回転推進噴射孔３０から噴射される洗浄水の反動は、回転噴射体１０を回転させる推進力になり、この推進力で回転噴射体１０は図４に示すＰ方向に回される。図４に示すF方向の噴射洗浄水は、回転噴射体１０の斜め前方（表面側前方）に旋回するよう振りまかれ、食器類の洗浄を行う。
【００２８】
このような洗浄を行う回転噴射体１０は、洗浄槽２の内壁面から外側向きに凹むように形成されている噴射体設置部１１に設置されるので、洗浄槽２の内部側に突き出ない。このため、少なくとも洗浄槽内の天井側ないし側面側は、従来のように回転洗浄ノズルで占められてしまうことはない。これにより、食器かごの収まるところが狭められないので、それだけ洗浄容積が拡大する。
【００２９】
この洗浄容積拡大に付いて、図９（従来と本発明との比較例図）を引用して更に詳しく述べる。
【００３０】
図９の（イ）に示すように従来例にあっては、洗浄槽２の内壁面から洗浄水供給経路３４の洗浄水ダクト３５までの厚さがＨ１である。洗浄槽２の内壁面から回転洗浄ノズル１００までの厚さがＨ２である。
【００３１】
一方、図９の（ロ）に示すように本発明にあっては、洗浄槽２の内壁面から洗浄水供給経路３４の洗浄水ダクト３５までの厚さがＨ１である。回転噴射体１０は噴射体設置部１１に設置されているので、洗浄槽２の内壁面から突き出ない。このため、本発明にあっては、従来例に比べ、Ｈ２の厚み分だけ洗浄かごを大きできるので、洗浄容積の拡大化を図ることができるのである。
【００３２】
また、回転噴射体１０は、洗浄槽に埋め込まれる形態をしているので、従来の回転洗浄ノズルで比べて小型である。このため、回転噴射体１０は、洗浄槽内の天井側ないし側面側に多数並べるように設けることにより、洗浄槽内に噴射する洗浄水の偏りを緩和でき、洗浄斑の改善を図ることができる。
【００３３】
上記実施例は、回転噴射体の表面側が洗浄槽の内壁面よりも落ち込んだ形態になっているが、回転噴射体の表面側が洗浄槽の内壁面よりも多少に突き出た形態にしても、従来のものに比べ、洗浄容積の拡大を図ることができる。
【００３４】
また、回転噴射体の回転推進噴射孔は、回転噴射体の回転方向に傾斜する形状にしても回転推進力を得ることができる。
【００３５】
図５に示す実施例は、回転噴射体１０に直線噴射流通孔４０を設けたものである。この直線噴射流通孔４０は回転噴射体１０の回転中心軸線上を通って流入部３１と表面側に貫かれている。
【００３６】
この実施例では、回転推進噴射部３０の噴射が回転噴射体１０の斜め前方（表面側前方）に旋回するような噴流で、中央前方には洗浄水が噴射されない。直線噴射流通孔４０により、回転噴射体１０の中央前方にも噴射されるようになるので、洗浄斑を緩和できるのである。
【００３７】
図６Ａ、図６Ｂに示す実施例は、回転噴射体１０の流入部３１の内側面に回転付勢羽根４１を設けたものである。流入部３１の奥側に向かって傾斜するように形成されている。
【００３８】
この実施例では、回転噴射体１０が流入部３１に流れ込む洗浄水で回転力を受ける。この回転力は回転推進噴射部３０によって生ずる回転力に加勢されるので、回転噴射体１０は良く回転する。
【００３９】
図７に示す実施例は、キッチン台に組み込む形態の食器洗い機で、洗浄槽５０の底側に噴射アーム付きの回転噴射部材５１が備わる。回転噴射部材５１の噴射アーム５２には、回転噴射体５３が回転自在に備えられる。回転噴射体５３は、ほぼ円板形状に形成され、かつ板厚み方向に貫かれた回転推進噴射孔を有する。回転噴射部材５１は噴射アームの上面より凹む噴射体設置部が設けられる。回転噴射体５３は、噴射体設置部に設置される。
【００４０】
この実施例の食器洗い機では、洗浄水の噴射が噴射アームに設けた回転噴射体５３から行われるので、移動する円周上に更に円を描くような噴流を呈する。この噴流により、洗浄水の噴流が広範囲に行き渡るので、隈なく洗浄することができる。
【００４１】
また、回転噴射体５３は、噴射アームの凹んで噴射体設置部に設けられるので、回転噴射体５３が噴射アームの上に突き出すことがない分だけ、食器かごを大きくすることができる。
【００４２】
図８に示す実施例も、キッチン台に組み込む形態の食器洗い機である。食器洗い機は、洗浄槽６０の底側に凹む噴射体設置部を設け、この噴射体設置部に回転噴射体６１を設置した。こうした回転噴射体６１が洗浄槽６０の底側に多数備えた構成になっている。
【００４３】
この構成によれば、食器かごの下方に配置された多数の回転噴射体６１から広範囲に行き渡る洗浄水の噴射が行われるので、隈なく洗浄することができる。
【００４４】
また、回転噴射体６１は、洗浄槽６０の底側に凹む噴射体設置部に設けられるので、回転噴射体６１が洗浄槽６０の底側から突き出すことがない分だけ、食器かごを大きくすることができる。
【図面の簡単な説明】
【００４５】
【図１】本発明の実施例に係わるもので、食器洗い機の正面図である。
【図２】本発明の実施例に係わるもので、縦断した洗浄槽を表した食器洗い機の正面図である。
【図３】本発明の実施例に係わるもので、回転噴射体、洗浄槽、噴射体設置部、洗浄水供給経路、洗浄水ダクトの関連構成を示す断面図である。
【図４】本発明の実施例に係わるもので、正面図である。
【図５】本発明の他の実施例に係わるもので、図３に相当する断面図である。
【図６】本発明の他の実施例に係わるもので、（イ）は回転噴射体、中間リングの断面である。（ロ）は（イ）の図を矢印の方向から見た図である。
【図７】本発明の他の実施例に係わるもので、キッチン台に組み込む形態の食器洗い機を示した斜視図である。
【図８】本発明の他の実施例に係わるもので、同じくキッチン台に組み込む形態の食器洗い機を示した斜視図である。
【図９】従来と本発明との比較例図である。
【００４６】
図３、図４に示す保持部材の拡大平面図。
【符号の説明】
【００４７】
１…外枠体、２…洗浄槽、３…蓋体、４ａ…上側の食器かご、４ｂ…下側の食器かご、１０…回転噴射体、１２…ボールベアリング、１３…中間リング体、１１…噴射体設置部、１４…凹部、１５…凹部、３０…螺旋噴射部、３１…流入部、３４…洗浄水供給経路、３５…洗浄水ダクト、３６…導入孔。
【図１】
2006020894.tif 000003
【図２】
2006020894.tif 000004
【図３】
2006020894.tif 000005
【図４】
2006020894.tif 000006
【図５】
2006020894.tif 000007
【図６】
2006020894.tif 000008
【図７】
2006020894.tif 000009
【図８】
2006020894.tif 000010
【図９】
2006020894.tif 000011